(57)【要約】【課題】  窓の開度を自由に調節でき、しかもその開度を安定に保持できるようにした突き出し窓の開閉機構を提供する。【解決手段】  障子２の自由側端縁に対向する側の窓枠の支持框１０に、その長さ方向に延在し、障子の自由側端縁にほぼ平行な基板５を設け、この基板５に、スライダ６を基板の長さ方向に移動可能に支持、案内すると共に、上記支持框にスライダの駆動機構９を配設し、一方、基端を上記スライダに、自由端を障子の自由側端縁に夫々回動可能に支承させた連動レバー４を設け、この連動レバー４を介して障子と窓枠とをリンク結合し、他方、上記基板にスライダの移動方向と斜交する駆動溝２１を開口させ、上記連動レバー４の自由端と基端の間に植設された従動ピン２２を上記駆動溝２１に摺動可能に係合させる。【選択図】  図２
2010189862.tif 000002
【特許請求の範囲】
【請求項１】
外壁に嵌め込まれた窓枠と、これに支持される障子とを有し、換気のためこの障子を水平又は鉛直な回動軸の回りを一定の角度範囲内で外側に振出すものにおいて、障子の自由側端縁に対向する側の窓枠の支持框に、その長さ方向に延在し、障子の自由側端縁にほぼ平行な基板を設け、この基板に、スライダを基板の長さ方向に移動可能に支持、案内すると共に、上記支持框にスライダの駆動機構を配設し、一方、基端を上記スライダに、自由端を障子の自由側端縁に夫々回動可能に支承させた連動レバーを設け、この連動レバーを介して障子と窓枠とをリンク結合し、他方、上記基板にスライダの移動方向と斜交する駆動溝を開口させ、上記連動レバーの自由端と基端の間に植設された従動ピンを上記駆動溝に摺動可能に係合させたことを特徴とする突き出し窓の開閉機構。
【発明の詳細な説明】
【技術分野】
【０００１】
この発明は、突き出し窓の開閉機構（以下単に開閉機構という）に係り、特に、窓の開度を自由に調節でき、しかもその開度を安定に保持できるようにした開閉機構に関する。
【背景技術】
【０００２】
突き出し窓とは、住宅やビルディングの高所に開口した窓であって、安全のために全開はしないが、通気のため障子が一の側端縁に平行な回動軸の回りを一定の角度揺動できるように構成された窓をいうものとする。
【先行技術文献】
【特許文献】
【０００３】
【特許文献１】特開２００８−０７５４２０
【発明の概要】
【発明が解決しようとする課題】
【０００４】
上記特許文献１に記載された開閉機構は、要するに、突き出し窓の自由側端縁と窓枠との間を折畳み可能な連動部材で連結し、この連動部材を窓枠側に設けられたハンドルの回動によって伸縮させる構造である。
【０００５】
したがって、その構造が簡単であるという利点は在るにしても、障子の開度を自由に設定することはできず、また、強い風が吹くと突然窓が開いたり、逆にバタンと閉まってしまう、等未だ改良の余地がある。
【０００６】
そこで、この発明は、窓の開度を自由に調節でき、しかもその開度を安定に保持できるようにした開閉機構を提供することを目的としている。
【課題を解決するための手段】
【０００７】
上記の目的を達成するため、請求項１に記載の発明は、外壁に嵌め込まれた窓枠と、これに支持される障子とを有し、換気のためこの障子を水平又は鉛直な回動軸の回りを一定の角度範囲内で外側に振出すものにおいて、障子の自由側端縁に対向する側の窓枠の支持框に、その長さ方向に延在し、障子の自由側端縁にほぼ平行な基板を設け、この基板に、スライダを基板の長さ方向に移動可能に支持、案内すると共に、上記支持框にスライダの駆動機構を配設し、一方、基端を上記スライダに、自由端を障子の自由側端縁に夫々回動可能に支承させた連動レバーを設け、この連動レバーを介して障子と窓枠とをリンク結合し、他方、上記基板にスライダの移動方向と斜交する駆動溝を開口させ、上記連動レバーの自由端と基端の間に植設された従動ピンを上記駆動溝に摺動可能に係合させたことを特徴とする。
【発明の効果】
【０００８】
上記のように構成された請求項１に記載の発明は、スライダの駆動機構によりスライダを基板の長さ方向に駆動するとき、連動レバー全体を障子開き方向に移動させると共に自由端を障子開き方向に回動させるので、一旦開いた障子を閉じようとする風等の力は、スライダ及びその駆動機構の摩擦抵抗、及び従動ピンと駆動溝との係合を介して基板に担持れ、これらの抵抗により障子が閉じにくくなる。
【０００９】
これを換言すれば、障子の開度は安定にたもたれることになり、風が吹いてもバタンと閉じてしまうことがない。
【００１０】
また、スライダの移動量に対し障子の開度は一義的に定まるので、上記したと同様に理由により、障子の開度を自由に、かつ安定的に設定できる、等種々の効果を奏する。
【発明を実施するための形態】
【００１１】
障子の自由側端縁に対向する側の窓枠の支持框に、その長さ方向に延在し、障子の自由側端縁にほぼ平行な基板を設け、この基板に、スライダを基板の長さ方向に移動可能に支持、案内すると共に、上記支持框にスライダの駆動機構を配設し、一方、基端を上記スライダに、自由端を障子の自由側端縁に夫々回動可能に支承させた連動レバーを設け、この連動レバーを介して障子と窓枠とをリンク結合し、他方、上記基板にスライダの移動方向と斜交する駆動溝を開口させ、上記連動レバーの自由端と基端の間に植設された従動ピンを上記駆動溝に摺動可能に係合させる。
【図面の簡単な説明】
【００１２】
【図１】この発明の一実施例による開閉機構機構を装着した突き出し窓の平面図。
【図２】この発明の一実施例による開閉機構の側面図。
【図３】その断面図。
【図４】開閉機構が障子を開ける方向に少し動き出した状態を示す図２と同様の側面図。
【図５】障子が完全に開いた状態を示す図４と同様の側面図。
【実施例１】
【００１３】
以下、図面を参照してこの発明の実施例を説明する。
図１において符号１は窓枠を、符号２は障子を夫々示し、図１に示す障子２は鉛直な回動軸３の回りを一定の角度範囲内で振り出すことができるように構成されている。
【００１４】
なお、この突き出し窓は通常住宅やビルの高いところに設けられるものであり、障子２が全開すると危険であるから、窓枠１と障子２の自由側端縁とは後述の連動レバー４によって固定的にリンク結合され、障子が全開しないように構成されている。
【００１５】
上記窓枠１の障子２の自由側端縁に対向する側の支持框５には、図２、図３及び図５に示すように、縦長で略矩形（図５参照）の基板５が例えばねじ止めにより固定されている。
【００１６】
この基板５の図２における裏面側には、逆Ｌ字形の板材であるスライダ６が基板５の長さ方向である上下方向に移動可能に支持、案内されている。
【００１７】
図示の実施例では、図３及び図５に示すように、スライダ６に開口した縦長の案内孔７、７（図５参照）と、基板５にかしめ付けられたフランジ付のガイドピン８、８（図２及び図３）によって、スライダ６が上下方向に移動可能に案内されている。
【００１８】
上記スライダ６を上下方向に駆動するため、駆動機構９が設けられている。
図示の実施例における駆動機構９は、図２に示すように、紙面に垂直で図示しない回動軸の向う側の端部に一体に結合されたアーム１１と、回動軸のこちら側の端部に装着されたハンドル１８とを有している。
【００１９】
上記アーム１１の先端部で、図２における裏面側に植設された駆動ピン１２は、基板に開口した半円形の逃げ穴１３を遊嵌して、スライダ６に開口した水平なガイド孔１４に摺動可能に係合している。
【００２０】
なお、上記ハンドル１８は水平な回動軸の回りを一定の角度揺動できるようになっているので、台座１５（図１参照）に形成されたハンドル溝１６（図２参照）からハンドル１８を一定の角度引き起こし、引き起こされたハンドル１８を手指で摘んで上記回動軸を回すことができるようになっているが、この駆動機構は本発明の必須の構成ではない。
【００２１】
一方、図２及び図３に示すように、前記スライダ６の図２において手前側には、支軸１７がかしめにより植設されており、この支軸１７に、全体の形状が三角形の連動レバー４の基端（下端）が回動可能に支承されている。
【００２２】
上記連動レバー４の自由端（上端）は、障子の自由側端縁に植設されたフランジ付の連結ピン１９に回動可能に遊嵌している。
【００２３】
上記した構成により、窓枠１と障子２とは連動レバー４を介して一定角度相対回動可能にリンク結合されることになる（図１参照）。
【００２４】
他方、図２及び図５に示すように、前記基板５の情報にはスライダ６の移動方向と斜交する駆動溝２１が開口しており、この駆動溝２１に、上記連動レバー４の自由端と基端の間に植設された従動ピン２２が摺動可能に係合している。
【００２５】
なお、図２において符号２３は障子の自由側端縁の位置を示す仮想の表示サークルを示す。
【００２６】
上記のように構成されたこの発明の一実施例による開閉機構は、図４に示すように、ハンドル１８をハンドル溝１６から引き起こしてこれを反時計方向に回せば、スライダ５及び連動レバー４が上昇すると共に、従動ピン２２と駆動溝２１との相互作用により連動レバー４が時計方向に回動して障子２が右方に移動する。
【００２７】
そして、図５に示すようにハンドル１８を１８０度回動させれば、図５に示すように障子２は一杯に開き、この状態でハンドル１８をハンドル溝１６に落とし込めば、障子２の開度は安定的に固定される。
【実施例２】
【００２８】
図示の実施例ではハンドルによって駆動されるアーム１１によってスライダが上下方向に駆動されるものとしたが、スライダの駆動機構は図示のものに限定されず種々に変形して実施が可能である。
【００２９】
例えば、旋盤の刃物台の駆動機構のように、スライダに図示しないナットを固定し、これに螺合する鉛直なねじ杆によってスライダを駆動するようにしてもよい（図示せず）。
【符号の説明】
【００３０】
１  窓枠
２  障子
３  回動軸
４  連動レバー
５  基板
６  スライダ
７  案内孔
８  ガイドピン
９  駆動機構
１１  アーム
１２  駆動ピン
１３  逃げ穴
１４  ガイド孔
１５  台座
１６  ハンドル溝
１７  支軸
１８  ハンドル
１９  連結ピン
２１  駆動溝
２２  従動ピン
２３  表示サークル
【図１】
2010189862.tif 000003
【図２】
2010189862.tif 000004
【図３】
2010189862.tif 000005
【図４】
2010189862.tif 000006
【図５】
2010189862.tif 000007